(57)【要約】電動装置を備えなくてもユーザーが着座した状態で背もたれを反らして脚を伸ばすことができ、姿勢の変更が迅速且つ容易に行われてユーザーの使い勝手を増進させることのできる椅子を提供する。座台部と、座台部の後端に下端が回転軸により連結された背もたれフレームを有して後方へ反らされる背もたれ部と、座台部に係合された足のせ台と、を備える椅子において、前記座台部には、ベースプレートと、前記ベースプレートにおいて前後方に摺動し、その摺動方向に第１のラック歯車が設けられている第１の摺動部材と、前記ベースプレートに回転軸が設けられ、前記第１のラック歯車に噛合する中間歯車と、前記ベースプレートにおいて前後方に摺動するものであり、前記中間歯車に噛合する第２のラック歯車が設けられて前記第１の摺動部材とは反対の方向に摺動する第２の摺動部材と、が配設され、前記足のせ台は、前記第１の摺動部材の先端に係合され、座台部の前方の下側に配設される足掛けを備え、前記背もたれ部は、前記座台部の側方に設けられるものであり、上端が前記回転軸の上側において前記背もたれフレームに軸連結され、下端が前記第２の摺動部材に軸連結されるリンク部材を備える。【選択図】  図２
2016517732.tif 000002
【特許請求の範囲】
【請求項１】
座台部（１０）と、
座台部（１０）の後端に下端が回転軸（２１４）により連結された背もたれフレーム（２１）を有して後方へ反らされる背もたれ部（２０）と、
座台部（１０）に係合された足のせ台（３０）と、を備える椅子において、
前記座台部（１０）には、
ベースプレート（１１）と、
前記ベースプレート（１１）において前後方に摺動し、その摺動方向に第１のラック歯車（１３２）が設けられている第１の摺動部材（１３）と、
前記ベースプレート（１１）に回転軸（１４１）が設けられ、前記第１のラック歯車（１３２）に噛合する中間歯車（１４ａ、１４ｂ）と、
前記ベースプレート（１１）において前後方に摺動するものであり、前記中間歯車（１４ａ、１４ｂ）に噛合する第２のラック歯車（１５２）が設けられて前記第１の摺動部材（１３）とは反対の方向に摺動する第２の摺動部材（１５ａ、１５ｂ）と、が配設され、
前記足のせ台（３０）は、
前記第１の摺動部材（１３）の先端に係合され、座台部（１０）の前方の下側に配設される足掛け（３１）を備え、
前記背もたれ部（２０）は、
前記座台部（１０）の側方に設けられるものであり、上端が前記回転軸（２１４）の上側において前記背もたれフレーム（２１）に軸連結され、下端が前記第２の摺動部材（１５ａ、１５ｂ）に軸連結されるリンク部材（２３ａ、２３ｂ）を備える
ことを特徴とする背もたれ部（２０）及び足のせ台（３０）が連動可能な椅子。
【請求項２】
前記背もたれフレーム（２１）は、前記背もたれ部（２０）の両側に互いに平行に上下に配置される一対の支持棒体（２１１ａ、２１１ｂ）と、前記一対の支持棒体（２１１ａ、２１１ｂ）の上端を繋ぎ合わせる上端連結棒（２１１ｃ）と、を備え、
前記背もたれ部（２０）は、
前記支持棒体（２１１ａ、２１１ｂ）に乗って上下に摺動する摺動フレーム（２５）と、
前記摺動フレーム（２５）の下部に係合され、前記背もたれフレーム（２１）の下端よりもさらに前方の位置において下端がピン連結により前記ベースプレート（１１）に拘束される連結ロッド（２６）と、
前記摺動フレーム（２５）及び前記上端連結棒（２１１ｃ）に両端がそれぞれ設けられて前記摺動フレーム（２５）を前記上端連結棒（２１１ｃ）側に引っ張る弾性体（２７）と、を備える
請求項１に記載の背もたれ部（２０）及び足のせ台（３０）が連動可能な椅子。
【請求項３】
前記ベースプレート（１１）には、前記第１の摺動部材（１３）の下面に接触して前記第１の摺動部材（１３）の摺動を補助する多数のローラー（１１１）が設けられ、
前記ベースプレート（１１）の上面には、
前記第２の摺動部材（１５ａ、１５ｂ）が乗って移動するように前後方向に設けられたレール（１１５ａ、１１５ｂ）と、
前記第１の摺動部材（１３）の後方への移動を設定範囲において制限するストッパ部（１１６）と、が配設される
請求項２に記載の背もたれ部（２０）及び足のせ台（３０）が連動可能な椅子。
【請求項４】
前記摺動フレーム（２５）には、
ユーザーの上体を支える背もたれ板（５０）と、
前記摺動フレーム（２５）の両側に係合されるひじかけ（２５５）と、が設けられて、前記背もたれ板（５０）及び前記ひじかけ（２５５）が前記摺動フレーム（２５）と一緒に移動する
請求項２に記載の背もたれ部（２０）及び足のせ台（３０）が連動可能な椅子。
【請求項５】
前記連結ロッド（２６）及び前記摺動フレーム（２５）が係合される部分には、前記連結ロッド（２６）が前記摺動フレーム（２５）に係合される位置を調節して前記摺動フレーム（２５）の高さを調節できるように調節手段が配設されている
請求項２に記載の背もたれ部（２０）及び足のせ台（３０）が連動可能な椅子。
【請求項６】
前記座台部（１０）の両側にはそれぞれ書見補助台（６０）が設けられるが、それぞれの前記書見補助台（６０）は、
座台部（１０）に下端が固定されて立てられた支持杆（６１）と、
前記支持杆（６１）の上端に設けられる３段のリンク板と、を備え、
前記３段のリンク板は、
長手方向が前後方向を向くように前記支持杆（６１）の上端に固定される１段リンク板（６２）と、
前記１段リンク板（６２）の前端部に設けられた第１のリンク軸（６２５）に一方の端部が軸係合された２段リンク板（６３）と、
前記２段リンク板（６３）の他方の端部に設けられた第２のリンク軸（６３５）に一方の端部が軸係合された３段リンク板（６４）と、を備え、
それぞれの前記書見補助台（６０）の各３段リンク板（６４）には、多数の貫通孔（６６）が所定の間隔を隔てて形成された
請求項１ないし５ののいずれかに記載の背もたれ部（２０）及び足のせ台（３０）が連動可能な椅子。
【請求項７】
座台部（１０）と、
座台部（１０）の後端に下端が回転軸（２１４）により連結された背もたれフレーム（２１）を有して後方へ反らされる背もたれ部（２０）と、
座台部（１０）に係合された足のせ台（３０）と、を備える椅子において、
前記座台部（１０）には、
ベースプレート（１１）と、
前記ベースプレート（１１）において前後方に摺動する第１の摺動部材（１３）と、
前記ベースプレート（１１）において前後方に摺動するものであり、前記第１の摺動部材（１３）と連動されて前記第１の摺動部材（１３）とは反対の方向に摺動するように設けられた第２の摺動部材（１５ａ、１５ｂ）と、を備え、
前記足のせ台（３０）は、
前記第１の摺動部材（１３）の先端に係合され、座台部（１０）の前方の下側に配設される足掛け（３１）を備え、
前記背もたれ部（２０）は、
前記座台部（１０）の側方に設けられるものであり、上端が前記回転軸（２１４）の上側において前記背もたれフレーム（２１）に軸連結され、下端が前記第２の摺動部材（１５ａ、１５ｂ）に軸連結されるリンク部材（２３ａ、２３ｂ）を備える
ことを特徴とする背もたれ部（２０）及び足のせ台（３０）が連動可能な椅子。
【請求項８】
前記背もたれフレーム（２１）は、前記背もたれ部（２０）の両側に互いに平行に上下に配置される一対の支持棒体（２１１ａ、２１１ｂ）と、前記一対の支持棒体（２１１ａ、２１１ｂ）の上端を繋ぎ合わせる上端連結棒（２１１ｃ）と、を備え、
前記背もたれ部（２０）は、
ユーザーの上体を支える背もたれ板（５０）が設けられるものであり、前記支持棒体（２１１ａ、２１１ｂ）に乗って上下に摺動する摺動フレーム（２５）と、
前記摺動フレーム（２５）の下部に係合され、前記背もたれフレーム（２１）の下端よりもさらに前方の位置において下端がピン連結により前記ベースプレート（１１）に拘束される連結ロッド（２６）と、
前記摺動フレーム（２５）及び前記上端連結棒（２１１ｃ）に両端がそれぞれ設けられて前記摺動フレーム（２５）を前記上端連結棒（２１１ｃ）側に引っ張る弾性体（２７）と、を備える
請求項７に記載の背もたれ部（２０）及び足のせ台（３０）が連動可能な椅子。
【発明の詳細な説明】
【技術分野】
【０００１】
本発明は、背もたれ部及び足のせ台が連動可能な椅子に関する。詳しくは、本発明は、脚を伸ばして足のせ台を前進させるとともに、背もたれ部が後方へ反らされるように構成されることにより、ユーザーの使い勝手が増進された椅子に関する。
【背景技術】
【０００２】
図１は、特許文献１に開示されている従来の安楽椅子の構成を示している。
図１を参照すると、従来の椅子は、座台部１と、背もたれ部２と、脚載置部３と、を備える。
前記背もたれ部２は、ハンドル５の回転により後方へ反らされた状態を形成するようになっており、脚載置部３は、別途の他のハンドル７により独立してその傾斜角を調節するようになっている。
このような構成を有する従来の椅子においては、脚を伸ばした安楽な状態で椅子を変更するために、背もたれ部２が後方へ反らされ、脚載置部３の角度が変更されるようにハンドル５、７などの操作装置をマニュアルにて駆動せねばならないが、ユーザーが着座した状態ではその操作が決して容易ではない。
【０００３】
このような問題を解消するために、操作装置の駆動が自動的に行われるように電動装置を備えなければならないが、電動装置は、椅子の重量を増大させて移動及び運搬に負担を与え、しかも、製作コストを高騰させる。
【先行技術文献】
【特許文献】
【０００４】
【特許文献１】大韓民国登録実用新案公報第２０−０３０１４４４号
【発明の概要】
【発明が解決しようとする課題】
【０００５】
本発明は、電動装置を備えなくてもユーザーが着座した状態で背もたれを反らして脚を伸ばすことができ、姿勢の変更が迅速且つ容易に行われてユーザーの使い勝手を増進させることのできる椅子を提供することを課題とする。
【課題を解決するための手段】
【０００６】
上述した目的を達成するために、本発明による背もたれ部及び足のせ台が連動可能な椅子は、座台部と、座台部の後端に下端が回転軸により連結された背もたれフレームを有して後方へ反らされる背もたれ部と、座台部に係合された足のせ台と、を備える椅子において、前記座台部には、ベースプレートと、前記ベースプレートにおいて前後方に摺動し、その摺動方向に第１のラック歯車が設けられている第１の摺動部材と、前記ベースプレートに回転軸が設けられ、前記第１のラック歯車に噛合する中間歯車と、前記ベースプレートにおいて前後方に摺動するものであり、前記中間歯車に噛合する第２のラック歯車が設けられて前記第１の摺動部材とは反対の方向に摺動する第２の摺動部材と、が配設され、前記足のせ台は、前記第１の摺動部材の先端に係合され、座台部の前方の下側に配設される足掛けを備え、前記背もたれ部は、前記座台部の側方に設けられるものであり、上端が前記回転軸の上側において前記背もたれフレームに軸連結され、下端が前記第２の摺動部材に軸連結されるリンク部材を備えることを特徴とする。
【０００７】
また、本発明において、前記背もたれフレームは、前記背もたれ部の両側に互いに平行に上下に配置される一対の支持棒体と、前記一対の支持棒体の上端を繋ぎ合わせる上端連結棒と、を備え、前記背もたれ部は、前記支持棒体に乗って上下に摺動する摺動フレームと、前記摺動フレームの下部に係合され、前記背もたれフレームの下端よりもさらに前方の位置において下端がピン連結により前記ベースプレートに拘束される連結ロッドと、前記摺動フレーム及び前記上端連結棒に両端がそれぞれ設けられて前記摺動フレームを前記上端連結棒側に引っ張る弾性体と、を備えることを特徴とする。
【０００８】
さらに、本発明において、前記ベースプレートには、前記第１の摺動部材の下面に接触して前記第１の摺動部材の摺動を補助する多数のローラーが設けられ、前記ベースプレートの上面には、前記第２の摺動部材が乗って移動するように前後方向に設けられたレールと、前記第１の摺動部材の後方への移動を設定範囲において制限するストッパ部と、が配設されることを他の特徴とする。
【０００９】
さらにまた、本発明において、前記摺動フレームには、ユーザーの上体を支える背もたれ板と、前記摺動フレームの両側に係合されるひじかけと、が設けられて、前記背もたれ板及び前記ひじかけが前記摺動フレームと一緒に移動することをさらに他の特徴とする。
【００１０】
さらにまた、本発明において、前記連結ロッド及び前記摺動フレームが係合される部分には、前記連結ロッドが前記摺動フレームに係合される位置を調節して前記摺動フレームの高さを調節できるように調節手段が配設されていることをさらに他の特徴とする。
【００１１】
これらに加えて、本発明において、前記座台部の両側にはそれぞれ書見補助台が設けられるが、それぞれの前記書見補助台は、座台部に下端が固定されて立てられた支持杆と、前記支持杆の上端に設けられる３段のリンク板と、を備え、前記３段のリンク板は、長手方向が前後方向を向くように前記支持杆の上端に固定される１段リンク板と、前記１段リンク板の前端部に設けられた第１のリンク軸に一方の端部が軸係合された２段リンク板と、前記２段リンク板の他方の端部に設けられた第２のリンク軸に一方の端部が軸係合された３段リンク板と、を備え、それぞれの前記書見補助台の各３段リンク板には、多数の貫通孔が所定の間隔を隔てて形成されたことをさらに他の特徴とする。
【発明の効果】
【００１２】
本発明による椅子は、着座したユーザーが足掛けに足を載せた状態で背もたれを後方へ反らそうとする場合、足掛けを前方に押して脚を伸ばすと共に、背もたれに体重を加えると、背もたれが後方へ反らされながら簡単且つ迅速に安楽な姿勢に変更される。これは、足のせ台及び背もたれ部が第１の摺動部材と、第２の摺動部材及びリンク部材により互いに連動されることにより、全体の動作が同時に発生するように構成されたためである。
【００１３】
また、本発明による椅子は、支持棒体に乗って上下に摺動する摺動フレームと、摺動フレームを上端連結棒側に引っ張る弾性体と、摺動フレームの下部を座台フレームにピン連結させる連結ロッドと、を備える。これにより、背もたれ部が反らされており、足掛けが前方に押されている状態でユーザーが上体を起こそうとすれば、椅子は元の状態に速やかに戻る。すなわち、本発明による椅子は、背もたれ部に加えられていた荷重が除去又は減少されれば、弾性体の弾性力により摺動フレームが上側に摺動しながら背もたれ部が戻り、これにつれて足掛けが同時に元の位置に戻る。
さらに、背もたれ部が後方へ反らされる作動と関連して、ユーザーが足掛けに足を掛けた状態で足掛けを押し出す力及び足を伸ばす長さを調節することにより、背もたれ部の傾斜度が調節可能になる。
さらにまた、本発明は、摺動フレームに両側ひじかけが係合されて摺動フレームと一緒に移動するように構成されるので、背もたれ部が後方へ反らされると、ユーザーの上体とともにひじかけも反らされる。これにより、上体とひじかけとの間のの距離及び上体とひじかけとの間の角度の変化がほとんどないので、背もたれを反らした状態でもひじかけにひじを掛けた状態がユーザーにくつろぎを与える。
これらに加えて、本発明は、書見補助台が設けられて着座したユーザーの前方において本を支持したり書見台を設けたりすることが容易であるので、書見のための高い便宜性を提供する。
【図面の簡単な説明】
【００１４】
【図１】従来の安楽椅子を示す構成説明図
【図２】本発明の実施形態による背もたれ部及び足のせ台が連動可能な椅子を示す斜視図
【図３】本発明の実施形態による背もたれ部及び足のせ台が連動可能な椅子を示す側面構成図
【図４】本発明の実施形態による背もたれ部及び足のせ台が連動可能な椅子における座台部の構成を示す断面構成図
【図５】本発明の実施形態による背もたれ部及び足のせ台が連動可能な椅子における第１の摺動部材と、中間歯車及び第２の摺動部材の動作を説明する説明図
【図６】本発明の実施形態による背もたれ部及び足のせ台が連動可能な椅子における摺動フレームの構成を示す斜視図
【図７】（ａ）（ｂ）は、本発明の実施形態による背もたれ部及び足のせ台が連動可能な椅子における摺動フレームの作動を説明する説明図
【図８】本発明による背もたれ部及び足のせ台が連動可能な椅子にユーザーが着座した状態を示す使用状態図
【図９】本発明の実施形態による背もたれ部及び足のせ台が連動可能な椅子に書見補助台が設けられたことを示す構成図
【図１０】図７の書見補助台が拡開された状態を示す状態説明図
【発明を実施するための最良の形態】
【００１５】
本発明の実施形態を図面を参照してより詳細に説明する。
図２は、本発明の実施形態による背もたれ部及び足のせ台が連動可能な椅子を示す斜視図であり、図３は、本発明の実施形態による背もたれ部及び足のせ台が連動可能な椅子を示す側面構成図である。また、図４は、本発明の実施形態による背もたれ部及び足のせ台が連動可能な椅子における座台部の構成を示す断面構成図である。
【００１６】
図２から図４を参照すると、本発明の実施形態による背もたれ部２０及び足のせ台３０が連動可能な椅子は、座台部１０と、座台部１０の後端に下端が回転軸２１４により連結された背もたれフレーム２１を有して後方へ反らされる背もたれ部２０と、座台部１０に係合された足のせ台３０と、を備える。なお、座台部１０の下部には、座台部１０を支える通常の脚部８０が設けられる。
【００１７】
前記座台部１０には、ベースプレート１１と、前記ベースプレート１１において前後方に摺動し、その摺動方向に第１のラック歯車１３２が設けられている第１の摺動部材１３と、前記ベースプレート１１に回転軸１４１が設けられ、前記第１のラック歯車１３２に噛合する中間歯車１４ａ、１４ｂと、前記ベースプレート１１において前後方に摺動するものであり、前記中間歯車１４ａ、１４ｂに噛合する第２のラック歯車１５２が設けられて前記第１の摺動部材１３とは反対の方向に摺動する第２の摺動部材１５ａ、１５ｂと、が配設される。
前記ベースプレート１１は、座台部１０の下部を形成する板状体であり、座台部１０の全ての構成要素がベースプレート１１の上に設けられる。
【００１８】
前記第１の摺動部材１３は、ベースプレート１１の上面の中央に配置されて前後方に摺動する板状体であり、ベースプレート１１に設けられた多数のローラー１１１により下面が接触して支持されることにより、円滑な摺動作動が行われる。
第１の摺動部材１３は、その上側に設けられる座台フレーム１７の押圧ローラー１７２により上側から押し付けられて案内されるので、上側への離脱が防がれる。第１の摺動部材１３の上面には、押圧ローラー１７２が乗って移動するレール１３７が前後方向に設けられる。
【００１９】
また、第１の摺動部材１３の両側面には、第１のラック歯車１３２がそれぞれ設けられる。
前記中間歯車１４ａ、１４ｂは、第１の摺動部材１３の第１のラック歯車１３２に噛合して回転するものであり、ベースプレート１１に回転軸１４１が設けられる。このため、第１の摺動部材１３の前後動につれて、第１のラック歯車１３２に噛合した中間歯車１４ａ、１４ｂは固定された位置において回転している。
前記第２の摺動部材１５ａ、１５ｂは、中間歯車１４ａ、１４ｂに噛合する第２のラック歯車１５２が長手方向に設けられており、中間歯車１４ａ、１４ｂの回転につれて前方又は後方へ移動する。このため、中間歯車１４ａ、１４ｂを介して移動するため、第１の摺動部材１３の移動方向と第２の摺動部材１５ａ、１５ｂの移動方向は互いに反対の方向となる。
【００２０】
図５にそのような作動が示されている。足のせ台３０に足を載せた状態で脚を伸ばすと、第１の摺動部材１３が前進し、第２の摺動部材１５ａ、１５ｂは後側に移動することができる。
第２の摺動部材１５ａ、１５ｂは、ベースプレート１１に設けられたレール１１５ａ、１１５ｂに沿って前後方向に移動し、ベースプレート１１の後側の上面には、第１の摺動部材１３が後方へ設定範囲までしか移動できないようにストッパ部１１６が設けられる。
両側の第２の摺動部材１５ａ、１５ｂは、その上部が連結棒１５５の両側にそれぞれ固定されることにより、両側の第２の摺動部材１５ａ、１５ｂ及び連結棒１５５が同時に移動する。連結棒１５５の両端は、後述するリンク部材２３ａ、２３ｂとそれぞれ軸連結されることにより、第２の摺動部材１５ａ、１５ｂの前後方への移動及び背もたれ部２０の傾斜運動が連動される。
【００２１】
上述したように、第１の摺動部材１３及び第２の摺動部材１５ａ、１５ｂが互いに反対の方向に摺動することは、中間歯車１４ａ、１４ｂを介さずに通常のリンク装置を介して行われるように構成してもよい。すなわち、途中にベースプレート１１に設けられた回転軸付きロッド（棒状体）の一方の端に長孔により第１の摺動部材１３が係合され、他方の端にも長孔により第２の摺動部材１５ａ、１５ｂが係合されて回転軸を中心として一方の端及び他方の端の前後進の方向が互いに反対となる方式が例として挙げられる。
前記第１の摺動部材１３などの上部には、ベースプレート１１に固定された座台フレーム１７が設けられる。座台フレーム１７は、座台部１０のシートを支えるとともに、着座したユーザーの体重を支え、第１の摺動部材１３と、第２の摺動部材１５ａ、１５ｂ及び中間歯車１４ａ、１４ｂの作動空間を確保可能にする。
【００２２】
一方、前記足のせ台３０は、前記第１の摺動部材１３の先端に係合され、座台部１０の前方の下側に配設される足掛け３１を備える。
前記足掛け３１は、ユーザーの足が載せられて引っ掛かるように内側に折れ曲がっている形状を呈し、足掛け３１の中心部に支持棒３２の下端が固定される。支持棒３２の上端は第１の摺動部材１３の先端に取着され、第１の摺動部材１３の先端から斜めに下方に延びることにより、足掛け３１が座台部１０の前方の下側に位置する。
これにより、着座したユーザーが足掛け３１に足を載せた状態で脚を伸ばすと、足掛け３１が前方に進み、これにつれて第１の摺動部材１３が前方に向かって摺動する。
【００２３】
一方、図２及び図３を参照すると、前記背もたれ部２０は、背もたれフレーム２１と、座台部１０の側方に設けられるものであり、上端が前記回転軸２１４の上側において背もたれフレーム２１に軸連結され、下端が第２の摺動部材１５ａ、１５ｂに軸連結されるリンク部材２３ａ、２３ｂと、を備える。
前記背もたれフレーム２１は、背もたれ部２０の骨格を形成するものであり、背もたれ部２０の両側に互いに平行に上下に配置される一対の支持棒体２１１ａ、２１１ｂと、前記一対の支持棒体２１１ａ、２１１ｂの上端を繋ぎ合わせる上端連結棒２１１ｃと、支持棒体２１１ａ、２１１ｂに固定されて座台部１０のベースプレート１１に係合される一対の係合棒体２１２ａ、２１２ｂと、を備える。
【００２４】
一対の係合棒体２１２ａ、２１２ｂには前記一対の支持棒体２１１ａ、２１１ｂが固定され、係合棒体２１２ａ、２１２ｂの下端は、座台部１０の後端に回転軸２１４により連結されている。これにより、背もたれフレーム２１がその回転軸２１４を中心として旋回することにより、背もたれ部２０が後方へ反らされる。
前記支持棒体２１１ａ、２１１ｂは、一対が互いに平行に配置されて後述する摺動フレーム２５がその支持棒体２１１ａ、２１１ｂに乗って移動することができる。支持棒体２１１ａ、２１１ｂには水平に補助支持杆２１７が固設されて背もたれ板５０を後側において接触して支持する。
前記リンク部材２３ａ、２３ｂは、座台部１０の側方に設けられるものであり、座台部１０の両側にそれぞれ設けられることが好ましく、それぞれのリンク部材２３ａ、２３ｂは、上端が背もたれフレーム２１のリンク連結棒２１３に軸連結され、そのリンク部材２３ａ、２３ｂの下端は第２の摺動部材１５ａ、１５ｂに連結棒１５５を介して軸連結される。リンク部材２３ａ、２３ｂの上端がリンク連結棒２１３に軸連結される位置は、係合棒体２１２ａ、２１２ｂの回転軸２１４の上側面であればいかなる位置であっても構わなく、円滑な作動のためにその回転軸２１４から遠く離れている個所に設けられることが好ましい。
【００２５】
また、前記背もたれ部２０は、支持棒体２１１ａ、２１１ｂに乗って上下に摺動する摺動フレーム２５と、前記摺動フレーム２５の下部に係合され、前記背もたれフレーム２１の下端よりもさらに前方の位置において下端がピン連結により前記ベースプレート１１に拘束される連結ロッド２６と、前記摺動フレーム２５及び前記上端連結棒２１１ｃに両端が設けられて前記摺動フレーム２５を前記上端連結棒２１１ｃ側に引っ張る弾性体２７と、をさらに備える。
前記摺動フレーム２５は、支持棒体２１１ａ、２１１ｂに乗って上下に摺動するものであり、支持棒体２１１ａ、２１１ｂに接触するローラー２５１、２５２を上側及び下側にそれぞれ一対ずつ備えている。
【００２６】
図２に摺動フレーム２５の係合状態が示されており、図６は、摺動フレーム２５の構成を具体的に示す斜視図である。
図２及び図６を参照すると、摺動フレーム２５は、両側に互いに平行に立てられた垂直連結棒２５３ａ、２５３ｂと、垂直連結棒２５３ａ、２５３ｂを上端において繋ぎ合わせる上端水平連結棒２５３ｃと、垂直連結棒２５３ａ、２５３ｂを途中において繋ぎ合わせる弾性体支持杆２５７と、前記垂直連結棒２５３ａ、２５３ｂの下端において両側の垂直連結棒２５３ａ、２５３ｂに係合される位置が調節可能なように係合された下部水平連結棒２５６と、を備える。
【００２７】
前記上端水平連結棒２５３ｃは、垂直連結棒２５３ａ、２５３ｂと一体に固定され、その両側に支持棒体２１１ａ、２１１ｂに乗って移動するローラー２５１がそれぞれ設けられ、ローラー２５１の外側には頭支え掛け２５８がそれぞれ設けられる。
前記弾性体支持杆２５７は、両側垂直連結棒２５３ａ、２５３ｂを途中において一体に繋ぎ合わせ、弾性力調節棒２７５が係合されることにより、弾性体２７の下端が支持される。弾性力調節棒２７５には螺旋が形成されて弾性体支持杆２５７の溝に嵌め込まれた状態でナット２７６により固定され、ナット２７６を緩めて弾性力調節棒２７５の高さを調節した後にナット２７６を締めると、弾性体２７の弾性力が調節可能である。
【００２８】
下部水平連結棒２５６は、両側垂直連結棒２５３ａ、２５３ｂの下端が係合されるものであり、垂直連結棒２５３ａ、２５３ｂの下端に形成された螺旋にナット２５４が係合されて互いに固定している。このため、ナット２５４を緩めて両側垂直連結棒２５３ａ、２５３ｂと下部水平連結棒２５６との間の係合位置を上下に調節した後に締めることができる。
下部水平連結棒２５６の両側には、支持棒体２１１ａ、２１１ｂに乗って移動するローラー２５２がそれぞれ設けられ、ローラー２５２の外側にはひじかけ２５５がそれぞれ設けられて下部水平連結棒２５６と共に移動することができる。
前記ナット２５４を緩めて両側垂直連結棒２５３ａ、２５３ｂの下端が下部水平連結棒２５６に差し込まれる長さを調節することにより、後述するひじかけ取付杆２５５ｂに係合される腰椎支持台５２と、垂直連結棒２５３ａ、２５３ｂと一体に移動する頭支え掛け２５８の頚椎支持台２５９との間の間隔が調節されるので、ユーザーの体形（腰椎と頚椎との間の距離）に合うように調節可能である。
【００２９】
一方、前記連結ロッド２６は、摺動フレーム２５を座台部１０に拘束させるものであり、その下端がピン連結部２６３により座台フレーム１７にピン連結される。そのピン連結される位置は、背もたれフレーム２１の下端よりもさらに前方の位置であるが、ベースプレート１１に拘束させるための連結であるため、座台フレーム１７ではなくても、ベースプレート１１に直接的にピン連結されてもよい。
前記連結ロッド２６及び摺動フレーム２５間の係合部分には、連結ロッド２６の摺動フレーム２５への係合位置を調節する調節手段が設けられる。前記調節手段は、連結ロッド２６の上部又は連結ロッド２６の全体に形成された螺旋と、その螺旋に螺合されるナット２６４と、により構成することが好ましい。その螺旋及びナット２６４間の係合により、摺動フレーム２５の下部及び連結ロッド２６の上部が繋ぎ合わせられ、前記ナット２６４を緩めて摺動フレーム２５と係合される連結ロッド２６の係合位置を調節することができる。その係合位置の調節は、摺動フレーム２５の位置を上下に調節可能にするものであり、ユーザーの上体を支える摺動フレーム２５の高さをユーザーの体形に合わせて調節可能にする。
また、連結ロッド２６の上端は、摺動フレーム２５の下部水平連結棒２５６に形成された孔に単に嵌め込まれて前記ナット２６４により係止されたものであり、摺動フレーム２５に対して連結ロッド２６が僅かに傾くなど動きは可能である。
【００３０】
図７を参照すると、連結ロッド２６により摺動フレーム２５がベースプレート１１に拘束されることにより、背もたれフレーム２１が回転軸２１４を中心として後方へ傾くとき、連結ロッド２６により引っ張られるため、支持棒体２１１ａ、２１１ｂの上において摺動フレーム２５の相対的な摺動が発生する。これは、背もたれ部２０が後方へ反らされても支持棒体２１１ａ、２１１ｂに対して前記摺動フレーム２５が相対的に下方に摺動してユーザーの上体を支えた状態が変化なしに維持されるようにする。すなわち、後述する背もたれ板５０及び腰椎支持台５２が、背もたれフレーム２１ではなく、摺動フレーム２５と一体に動作することにより、背もたれ部２０が後方へ反らされる過程においても背もたれ板５０及び腰椎支持台５２がユーザーの上体を支える位置にほとんど変化が発生しないようにしている。
【００３１】
より具体的には、通常の安楽椅子において背もたれ部２０が後方へ反らされるとき、着座したユーザーの上体は腰部を中心として旋回し、背もたれ部２０は、ベースプレート１１の後方の回転軸２１４を中心として旋回して回転中心が異なる。このため、背もたれ部２０が傾く過程においてユーザーの背と背もたれ部２０との間に滑りが発生し、ユーザーの上体と接触する背もたれ部２０の領域が背もたれ部２０が反らされる過程において変化してしまう。これにより、背もたれ部２０の傾きが終わった状態では、背もたれ部２０が直立した場合と比較してユーザーがくつろぎを感じることができないという問題がある。前記摺動フレーム２５はそのような問題を解消するもののである。すなわち、実質的にユーザーの上体を支える背もたれ板５０及び腰椎支持台５２の位置の変化を、背もたれ部２０が直立した状態及び傾いた状態でユーザーの上体に対して極力抑えて、背もたれ板５０及び腰椎支持台５２がユーザーの上体を支えていた位置を維持し続けるようにしている。
前記弾性体２７は、摺動フレーム２５及び上端連結棒２１１ｃに両端が設けられて前記摺動フレーム２５を前記上端連結棒２１１ｃ側に引っ張る役割を果たす。これにより、背もたれ部２０が後方へ傾き、摺動フレーム２５が支持棒体２１１ａ、２１１ｂに対して相対的に摺動すれば、前記弾性体２７を引っ張って弾性力が発生する。そのような弾性力は、摺動フレーム２５を前記上端連結棒２１１ｃ側に引っ張る役割を果たし、その弾性力は、摺動フレーム２５が上端連結棒２１１ｃに近付くように背もたれフレーム２１が反らされた状態で元の位置に戻るようにする戻り力になる。
【００３２】
一方、前記摺動フレーム２５には、着座したユーザーのひじを載せるように両側にひじかけ２５５が設けられる。より具体的に、両側のひじかけ２５５は、ひじかけ取付杆２５５ｂを介して摺動フレーム２５の下部水平連結棒２５６の両側に設けられる。これにより、図７の（ａ）の状態から（ｂ）の状態に変更されるように、両側ひじかけ２５５は、摺動フレーム２５と一緒に移動及び旋回することができる。
ひじかけ２５５を座台部１０に固定せずに摺動フレーム２５に係合することは、背もたれ部２０が後方へ反らされた状態及び元の位置に戻った状態で、両方ともユーザーの上体及びひじの姿勢を一定にしてくつろぎを与えるためである。すなわち、背もたれ部２０が後方へ反らされた状態及び元の位置に戻った状態で、ひじかけ２５５が摺動フレーム２５と一緒に移動及び旋回することにより、ユーザーの上体を基準としてひじかけ２５５との距離及び上体とひじかけ２５５との間の角度（図８におけるα）が変化なしに保たれるので、ユーザーにくつろぎを与えることができる。
また、ひじかけ２５５にはユーザーの背中を支える背もたれ板５０が係合されるように、両側のひじかけ２５５のひじかけ取付杆２５５ｂに多数の係合孔２５５ａが形成されており、これらの多数の係合孔２５５ａから選ばれた係合孔２５５ａに背もたれ板５０の係合棒５４が嵌着される。これらの多数の係合孔２５５ａから選ばれた係合孔２５５ａの位置に応じて、背もたれ板５０の固定位置が決定される。
【００３３】
さらに、背もたれ板５０には上下に多数の取付孔５６が形成されており、その取付孔５６に腰椎支持台５２が固定されて水平に設けられることにより、背もたれ板５０の下部に固定される。腰椎支持台５２は、ユーザーの体形に合わせて上下の取付孔５６を選択することにより、その取り付け高さが決定される。
摺動フレーム２５の上部には頭支え掛け２５８が設けられて摺動フレーム２５と一緒に動く。両側の頭支え掛け２５８にも多数の係合孔が形成されて頭支えが設けられる頚椎支持台２５９が固定される。
【００３４】
図８は、上述した構成を有する本発明による背もたれ部２０及び足のせ台３０が連動可能な椅子の使用状態を示している。
ユーザーは、椅子に着座する前に、ナット２５４を緩めて両側の垂直連結棒２５３ａ、２５３ｂの下端と下部水平連結棒２５６との間の係合位置を調節する。このとき、ひじかけ２５５に係合される腰椎支持台５２と、垂直連結棒２５３ａ、２５３ｂと一体に移動する頭支え掛け２５８の頚椎支持台２５９との間の間隔をユーザーの体形に合わせて調節する。
次いで、下部水平連結棒２５６及び連結ロッド２６の上部を繋ぎ合わせるナット２６４を緩めて摺動フレーム２５と係合される連結ロッド２６の長さを調節する。これは、摺動フレーム２５の上下位置を調節することであり、連結ロッド２６の長さに応じて、背もたれ部２０において背もたれ板５０及び頚椎支持台２５９などの位置が決定される。
上述した調節が終わった後、ユーザーが座台部１０に着座し、背もたれ部２０が状態を支えた状態で足掛け３１に足を載せる。その状態では、弾性体２７が摺動フレーム２５を上端連結棒２１１ｃ側に引っ張る弾性力を発生させているため、背もたれ部２０が後方へ反らされ難く、背もたれ部２０と第１の摺動部材１３や第２の摺動部材１５ａ、１５ｂなどにより連動される足のせ台３０も前方に進み難い。
【００３５】
その状態で、図８に示すように、ユーザーが脚を伸ばして足のせ台３０を前方に押し出し、後方へ上体の体重を加えると、足のせ台３０と係合された第１の摺動部材１３が前進し、第１の摺動部材１３の前進につれて第２の摺動部材１５ａ、１５ｂが後方へ摺動しながら第２の摺動部材１５ａ、１５ｂに軸係合されたリンク部材２３ａ、２３ｂの下端を後方へ一緒に移動させる。
これと同時に、背もたれ部２０は、ユーザーの上体が加える荷重と、リンク部材２３ａ、２３ｂの押されにより後方へ反らされる力を受けて、弾性力に勝って後方へ傾く。
戻るときには、ユーザーが上体を起こしながら足を引っ張ると、リンク部材２３ａ、２３ｂの下端が前進するとともに、摺動フレーム２５を上端連結棒２１１ｃに近づけようとする弾性力により背もたれフレーム２１が戻ろうとするので、背もたれ部２０が戻り易い。
【００３６】
また、背もたれ部２０が後方へ反らされる作動過程において足掛け３１に足を引っ掛けたままでユーザーの脚が足掛け３１の進み具合を調節することにより、背もたれ部２０の傾きも調節可能である。
本発明の椅子は、ユーザーの上体を後方へ反らす動作と脚を伸ばす動作が同時に起こると共に、そのような姿勢の変更が、上体を反らして加える荷重及び足掛け３１を押し出す脚の力の協同により行われる。
また、本発明の椅子においては、背もたれ部２０の傾斜運動及び足のせ台３０の前進運動が同時に起こることから、脚を伸ばして上体を反らした安楽な姿勢への切り換わりが非常に速やかに行われる。
【００３７】
一方、図９及び図１０は、本発明の実施形態による椅子に書見補助台６０が設けられた構成を示している。
図９を参照すると、書見補助台６０は、座台部１０の両側にそれぞれ設けられるものであり、座台部１０に下端が固定されて立てられた支持杆６１と、前記支持杆６１の上端に設けられる３段のリンク板と、を備える。
３段のリンク板は、長手方向が前後方向を向くように前記支持杆６１の上端に固定される１段リンク板６２と、前記１段リンク板６２の前端部に設けられた第１のリンク軸６２５に一方の側端部が軸係合された２段リンク板６３と、前記２段リンク板６３の他方の側端部に設けられた第２のリンク軸６３５に一方の側端部が軸係合された３段リンク板６４と、を備える。
【００３８】
それぞれの書見補助台６０は、３段のリンク板が第１のリンク軸６２５及び第２のリンク軸６３５を中心として拡開されることにより、図１０に示すように、ユーザーの前方に３段リンク板６４が位置する。
両側の書見補助台６０の３段リンク板６４は、その先端部に形成された貫通孔に係合ピン６５を嵌め込むことにより、図９に示すように繋ぎ合わせられる。
ユーザーの前方に拡開された３段リンク板６４には多数の貫通孔６６が所定の間隔を隔てて形成されているので、適正な位置に書見台７０を載せ、書見台７０及び３段リンク板６４を係合させる係合ピン（図示せず）を差し込んで書見台を３段リンク板６４の上に固定することができる。
【産業上の利用可能性】
【００３９】
本発明は、ユーザーにくつろぎを与えるために家庭用又は事務用に用いられる椅子に適用可能であることから、椅子と関連する産業において非常に好適に使用可能である。
【図１】
2016517732.tif 000003
【図２】
2016517732.tif 000004
【図３】
2016517732.tif 000005
【図４】
2016517732.tif 000006
【図５】
2016517732.tif 000007
【図６】
2016517732.tif 000008
【図７】
2016517732.tif 000009
【図８】
2016517732.tif 000010
【図９】
2016517732.tif 000011
【図１０】
2016517732.tif 000012
【国際調査報告】
2016517732.tif 000013
2016517732.tif 000014
2016517732.tif 000015
2016517732.tif 000016